(57)【要約】【課題】バルコニーの床の上面に浸入した水を、バルコニーの床の内部、又はバルコニーの外周の壁の内部を通過させることなく、排水溝や縦樋を設けずに確実に排水できるバルコニーを提供する。【解決手段】床面２とその外周辺に床面２から垂直方向に 立ち上がる手摺３を備えるバルコニー１において、床面２の外周辺のうち少なくとも一辺は、排水を妨げる立ち上がり壁が設けられていない端辺４であり、端辺４のうち少なくとも一辺は排水用辺５であり、排水用辺５の側面６と手摺３の側面７の間に微小な間隙８が設けられる。そして、バルコニーの床面２には排水用辺５に向かって水勾配が設けられる。床面２が木造構造の場合、床面２及び排水用辺５の側面６が防水性塗膜により被覆される。【選択図】図１
2017218750.tif 000002
【特許請求の範囲】
【請求項１】
床面とその外周辺に床面から垂直方向に 立ち上がる手摺を備えるバルコニーにおいて、
前記床面の外周辺のうち少なくとも一辺は、排水を妨げる立ち上がり壁が設けられていない端辺であり、
前記端辺のうち少なくとも一辺は排水用辺であり、
前記排水用辺の側面と前記手摺の側面の間に微小な間隙が設けられ、
前記床面には前記排水用辺に向かって水勾配が設けられたことを特徴とするバルコニー。
【請求項２】
前記床面が木造構造であり、
前記床面及び前記排水用辺の側面が防水性塗膜により被覆されたことを特徴とする請求項１のバルコニー。
【請求項３】
前記間隙は１０ｍｍ未満であることを特徴とする請求項１又は２のバルコニー。
【請求項４】
前記排水用辺の側面に連なる前記床面の底には、水切り部が更に設けられたことを特徴とする請求項１〜３の何れかのバルコニー。
【請求項５】
前記手摺の下部の一部で前記床面と同一レベルに、前記床面上のゴミ類を排出し得る開口面積を有する開口部が更に設けられたことを特徴とする請求項１〜４の何れかのバルコニー。
【請求項６】
前記床面の外周辺近傍には排水溝が設けられておらず、かつ、前記床面の外周辺の側面乃至下部には縦樋が設けられていないことを特徴とする請求項１〜５の何れかのバルコニー。
【発明の詳細な説明】
【技術分野】
【０００１】
本発明は、バルコニーの床の上面に浸入した水を、バルコニーの床の内部、又はバルコニーの外周の壁の内部を通過させることなく、また排水溝や縦樋を設けずに確実に排水できるバルコニーに関するものである。
【背景技術】
【０００２】
従来から、木造構造の床をもつバルコニーでは、床の外周に立ち上がりを設け、バルコニーの床面あるいは外周に設けた排水口に向けて水勾配を取ることによって、排水溝や排水口に水を集め、縦樋で排水する排水方法が多く採用されている（例えば、特許文献１〜３を参照）。
また、縦樋が不要と考えられる排水方法を行うバルコニーの排水構造としては、例えば特許文献４が知られている。
【先行技術文献】
【特許文献】
【０００３】
【特許文献１】特開２００４−１６９４３３号公報
【特許文献２】特開２００４−２１１４０９号公報
【特許文献３】特開２００７−１７０１４３号公報
【特許文献４】特開２００８−１８４８０６号公報
【発明の概要】
【発明が解決しようとする課題】
【０００４】
床の外周に立ち上がりを設け、縦樋で排水する排水構造のバルコニーの場合、落葉が多い環境下では、縦樋もしくはその上部の排水口が詰まり、排水不良の原因となるといった問題がある。また、縦樋が下階の外壁に露出すると、設計者の意図に反し、建物の外壁の意匠性を損なうといった問題がある。
【０００５】
上述した特許文献４に示されているバルコニーの排水構造では、縦樋を設けずに排水することも可能と考えられるが、排水口に排水が集中するため、排水口の外側に樋を接続しない場合、排水口の下に屋根等を設けない限り、排水時には排水口の下において人の通行に支障をきたすなど使用上の問題が生じるといった問題がある。また、樹木の葉等によって排水口が詰まる可能性も排除できない。
【０００６】
かかる状況に鑑みて、本発明は、バルコニーの床の上面に浸入した水を、バルコニーの床の内部又はバルコニーの外周の壁の内部を通過させることなく、排水溝や縦樋を設けずに確実に排水できるバルコニーを提供することを目的とする。
【課題を解決するための手段】
【０００７】
上記課題を達成するため、本発明のバルコニーは、床面とその外周辺に床面から垂直方向に 立ち上がる手摺を備えるバルコニーにおいて、下記１）〜４）の構成を備える。
１）床面の外周辺のうち少なくとも一辺は、排水を妨げる立ち上がり壁が設けられていない端辺である。
２）上記の端辺のうち少なくとも一辺は排水用辺である。
３）上記の排水用辺の側面と手摺の側面の間に微小な間隙が設けられる。
４）床面には排水用辺に向かって水勾配が設けられる。
【０００８】
上記の構成によれば、バルコニーの床の上面に浸入した水を、バルコニーの床の内部又はバルコニーの外周の壁の内部を通過させることなく、排水溝や縦樋を設けずに確実に排水できる。
ここで、排水を妨げる立ち上がり壁が設けられていないとは、バルコニーの床の外周のうち少なくとも一辺には、排水を妨げる壁や立ち上がりを設けないことである。排水を妨げる立ち上がり壁が設けられていない辺を、端辺とよぶ。端辺のうち少なくとも一辺は排水用辺であり、この排水用辺の側面と手摺の側面の間に微小な間隙が設けられ、バルコニーの床面には排水用辺に向かって水勾配が設けられることにより、バルコニーの床の上面に浸入した水を排水用辺から確実に排出できる。微小な間隙は具体的に１０ｍｍ未満であることが好ましい。幼児の指が入らない程度の隙間がよい。
【０００９】
本発明のバルコニーは、床面が木造構造であり、排水用辺の側面を水が流下するので、床面だけでなく排水用辺の側面を、防水性塗膜の被覆等により防水する必要がある。排水用辺の側面に防水を施さなければ、バルコニー内部や下部への雨漏り、木材や金具の腐食の原因になる。腐食が進行すると、受けプレート落下、手摺そのものの落下事故の原因になる。そのため、排水用辺の側面を防水性塗膜等により防水するのである。従来、木造構造の床面をもつバルコニーの場合、上述の腐食の問題から、排水溝や縦樋を設けて、床面から確実に排水する必要があったと言える。
【００１０】
また、本発明のバルコニーにおいて、排水用辺の側面に連なる床面の底には、水切り部が更に設けられたことが好ましい。バルコニーの下側は通常防水しないことから、下側に雨水が回りこまないように、下端の水切り部で雨水を確実に切るためである。これにより、排水用辺の側面を水が流下した水を、バルコニーの外に確実に排水する。
【００１１】
また、本発明のバルコニーにおいて、手摺の下部の一部で床面と同一レベルに、床面上のゴミ類を排出し得る開口面積を有する開口部が更に設けられたことが好ましい。ここで、ゴミ類とは、砂、落ち葉、虫、花、紙くず、塵や埃などである。
本発明のバルコニーにおいて、床面の外周辺近傍には排水溝が設けられておらず、かつ、床面の外周辺の側面乃至下部には縦樋が設けられていないことが好ましい。
【発明の効果】
【００１２】
本発明のバルコニーによれば、バルコニーの床の上面に浸入した水を、バルコニーの床の内部又はバルコニーの外周の壁の内部を通過させることなく、排水溝や縦樋を設けずに確実に排水できるといった効果がある。
【図面の簡単な説明】
【００１３】
【図１】本発明の一実施例を示すバルコニーの説明図
【図２】同バルコニーの正面図
【図３】同バルコニーの平面図（開口部の無い部分）
【図４】同バルコニーの平面図（開口部の有る部分）
【図５】排水用辺の側面と手摺の側面の間の間隙の説明図
【発明を実施するための最良の形態】
【００１４】
以下、本発明の実施形態の一例を、図面を参照しながら詳細に説明していく。なお、本発明の範囲は、以下の実施例や図示例に限定されるものではなく、幾多の変更及び変形が可能である。
【実施例１】
【００１５】
図１は、本発明の一実施例を示すバルコニーの説明図である。図２は、バルコニーの正面図であり、図１の右側から見た様子を示している。図３は、図２におけるＡ−Ａ線断面にあたるバルコニーの平面図を示す。図４は、手摺の下部に設けた開口部の説明図である。図５は、図１における排水用辺の側面と手摺の側面の間の間隙の説明図である。
以下、図１〜５を参照しながら、本実施例のバルコニーについて詳述する。
【００１６】
バルコニー１の床面２は、建物から突出した持ち出し梁１０の上部に位置する。そして、バルコニーの床面から垂直方向に手摺３が立ち上がっている。そして、バルコニー１の床面２の外周辺の内、建物の壁がなく外側に開放されている辺に、排水を妨げる立ち上がり壁が設けられていない。図１では、バルコニー１の床面２の右側の端辺４である。この端辺４は排水用辺５として用いられる。図５に示すように、排水用辺の側面６と手摺の側面７の間には３〜８ｍｍの範囲の幅Ｗの間隙８が設けられている。
【００１７】
持ち出し梁１０の先端には、Ｌ型の受けプレート１３が、コーチボルト１４によって固定されている。受けプレート１３は、バルコニーからの転落防止を目的として、バルコニーに手摺３を固定するためのものであり、人の体重などによる横向きの荷重や、荷重によって生じるモーメントに耐えられるように、持ち出し梁１０の先端に確実に固定される。受けプレート１３は、荷重やモーメントに対し十分な強度を有し、かつ防錆性を有する材料で構成される必要がある。防錆性を有する代表的な材料としては、例えば、溶融亜鉛めっきを施した鋼材が挙げられる。
【００１８】
持ち出し梁１０の先端の下には、野縁１５が取り付けられる。そして、野縁１５には水切り１６が取り付けられる。
受けプレート１３の上下には、受けプレート１３及びコーチボルト１４の頭より厚みのある下地板１７が貼り付けられる。また、受けプレート１３と下地板１７を覆うように、合板１８が貼り付けられる。図１に示すように、水勾配が図１の右向きに１／５０以上となるように、根太１９で合板２０の傾きを調整して合板２０が貼り付けられる。水勾配の数やその方向は、壁や立ち上がりのない方向でさえあれば、バルコニーの下の用途等に応じて決定すればよい。
【００１９】
水切り１６が取り付けられた後、合板１８及び合板２０は塗膜２１により被覆される。塗膜２１の施工方法としてはＦＲＰ（Fiberglass Reinforced Plastics）防水などがある。塗膜２１を施工したのち、軒天２２を施工する。また塗膜２１と水切り１６の隙間は、シール２３によってコーキングされる。シール２３の材料として、例えば、１成分形変成シリコーン系シーリング材が好適に用いられる。
【００２０】
以上により、バルコニーの床の上面に浸入した水は、塗膜２１の上面及び側面、シール２３の側面を流下し、水切り１６によってバルコニーの下へ排水される。軒天２２に水が伝わらないため、軒天２２の汚損や腐食を防止できる。
【００２１】
また、支柱３１は、ボルト及びナット３２によって受けプレート１３に取り付けられる。支柱３１には、予め、ボルト穴の開いたプレート（３３、３４）を溶接などの方法で接合しておく。支柱３１、プレート（３３、３４）に鋼材を使用する場合は、溶融亜鉛めっきなどを施して防錆性をもたせる。
【００２２】
プレート３３とＬ型の横材３５は、ボルト及びナット３６で、プレート３４とＬ型の横材３７は、ボルト及びナット３８でそれぞれ接合される。横材（３５、３７）に鋼材を使用する場合は、溶融亜鉛めっきなどを施して防錆性をもたせる。横材（３５、３７）の高さは、子どもが足をかけて登ることがないよう、横材３５については塗膜２１から１ｍ程度確保し、横材３７は可能な限り低くすることが望ましい。ただし、塗膜２１に将来劣化が生じた場合補修が可能なように、横材３７は塗膜２１より上部に設けられる。また塗膜２１の表面を流れる水を妨げないように、横材３７と塗膜２１の間には、図１に示すような間隙８が設けられる。
【００２３】
縦桟４１と横桟（４２、４４、４６）を固定する。縦桟４１と横桟４２はトラスネジ４３で、縦桟４１と横桟４４はトラスネジ４５で、縦桟４１と横桟４６はトラスネジ４７でそれぞれ固定される。また横桟４８と横桟４２はトラスネジ４９で、横桟５０と横桟４４はトラスネジ５１で、横桟５２と横桟４６はトラスネジ５３でそれぞれ固定される。縦桟４１と横桟（４２、４４、４６、４８、５０、５２）の材料は、アルミ材のように軽量かつ防錆性をもつものが適している。
【００２４】
縦桟４１が取り付けられた横桟４２、スペーサー５４、及び横材３５は、皿ネジ５５で固定される。同様に、縦桟４１が取り付けられた横桟４４、スペーサー５６、及び横材３７は、皿ネジ５７で固定される。逆に、皿ネジ（５５、５７）を外せば、図１における塗膜２１の右側が全面的に開放されるため、将来塗膜２１に劣化が生じた場合も全面的な修繕が可能である。
【００２５】
皿ネジ（５５、５７）を取り付ける、あるいは取り外す作業には数人の人手が必要である。ただし、皿ネジ（５５、５７）を外さなくても、図２に示す縦桟４１の間の隙間、及び図１に示す水切り１６と縦桟４１の間の隙間によって、塗膜２１やシール２３に作業員の手が届くため、作業員１人であっても、シール２３の打ち替えや、塗膜２１の部分的な補修は可能である。
【００２６】
図４は、図３のバルコニーの手摺３の下部に開口部６１を設けた一例を示している。開口部６１は、ハイハイが可能な乳幼児、すなわち生後５ヶ月以上の乳幼児の足が通らない大きさとする。開口部６１を設けることにより、砂、落ち葉、虫、花、紙くず、塵や埃などのゴミ類が蓄積し、横材３７と塗膜２１の間の隙間が詰まり、排水が不良となった場合にも、開口部６１から確実に排水可能である。また、開口部６１は、ゴミ類を掃き出すことによる掃除を容易にする。
【００２７】
開口部６１は、横材３７と横桟４４を切断し、部分的に取り外すことによって設けることが可能である。開口部６１の両側にある横桟４４は、同じく開口部６１の両側にある横材３７に固定されており、横材３７は、それぞれ支柱３１、受けプレート１３、コーチボルト１４を介して持ち出し梁１０に固定されているため、部分的に開口部６１を設けても、手摺３全体の強度は損なわれることはない。
【産業上の利用可能性】
【００２８】
本発明のバルコニーは、戸建住宅や集合住宅その他さまざまな用途の建築物に有用である。
【符号の説明】
【００２９】
１    バルコニー
２    床面
３    手摺
４    端辺
５    排水用辺
６    排水用辺の側面
７    手摺の側面
８    間隙
１０  持ち出し梁
１１  前桁
１２  構造用合板
１３  受けプレート
１４  コーチボルト
１５  野縁
１６  水切り
１７  下地板
１８  合板
１９  根太
２０  合板
２１  塗膜
２２  軒天
２３  シール
３１  支柱
３２，３６，３８  ボルト及びナット
３３，３４  プレート
３５，３７  横材
４１  縦桟
４２，４４，４６，４８，５０，５２  横桟
４３，４５，４７，４９，５１，５３  トラスネジ
５４，５６  スペーサー
５５，５７  皿ネジ
６１  開口部
【図１】
2017218750.tif 000003
【図２】
2017218750.tif 000004
【図３】
2017218750.tif 000005
【図４】
2017218750.tif 000006
【図５】
2017218750.tif 000007